(57)【特許請求の範囲】
【請求項１】
側壁部と底部とで囲まれた収納空間と上方に向く開口部とを有するバッグ本体と、前記バッグ本体に取り付けられて前記バッグ本体を吊り下げるベルトと、前記バッグ本体の前記開口部を開閉する蓋部材とを有し、前記蓋部材は、天井部と周壁部とを有し、前記周壁部が前記バッグ本体の前記側壁部の外側に設置されて前記天井部で前記開口部が塞がれるものであり、
前記バッグ本体の前記側壁部と前記底部ならびに前記蓋部材の前記天井部と前記周壁部が、多数本の鉛毛の集合体である遮蔽層と、前記遮蔽層の表裏両面を覆う可撓性シートとで構成され、
前記側壁部の外面に可撓性の止着シートが取り付けられており、前記蓋部材の前記周壁部の外面と前記止着シートとが、面ファスナーを介して接合可能であり、
前記止着シートは、前記側壁部の外面の周囲全長にわたって取り付けられており、前記止着シートに、周囲方向に間隔を空けて上縁部から切り込まれた複数の切り込み部と、前記切り込み部で挟まれた複数の止着片とが形成され、それぞれの止着片が、前記面ファスナーを介して前記周壁部の外面に接合可能であることを特徴とする放射線遮蔽バッグ。
【請求項２】
前記遮蔽層は、多数本の鉛毛が合成樹脂材料によって接合されて所定の厚さに成形されており、前記側壁部と前記底部および前記蓋部材が変形可能である請求項１記載の放射線遮蔽バッグ。
【発明の詳細な説明】
【技術分野】
【０００１】
本発明は、放射性物質で汚染された汚染物を収納して運搬や保管を行うことができる放射線遮蔽バッグに関する。
【背景技術】
【０００２】
放射性物質で汚染された汚染物質を運搬し保管する放射線遮蔽容器として以下の特許文献１と特許文献２などに記載されているものが知られている。
【０００３】
特許文献１に記載された放射線遮蔽容器は、鋼製オープンドラム缶である胴体の内部に、鋼菅部材で構成された大きさの異なる複数の収納容器が収納されている。
【０００４】
特許文献２に記載された放射線遮蔽容器は、規格ドラム容器の内部にステンレス鋼で形成された筒が多重に重ねられて収納されており、筒と筒との隙間内に、鉛やタングステンまたはコンクリートなどの放射線遮蔽体が配置されている。
【先行技術文献】
【特許文献】
【０００５】
【特許文献１】特開２００７−５１９０８号公報
【特許文献２】特開２０１０−８２２４号公報
【発明の概要】
【発明が解決しようとする課題】
【０００６】
特許文献１や特許文献２に記載された放射線遮蔽容器は、原子力プラントで発生する比較的濃度の高い放射線を発する放射性廃棄物を保管するのを主たる目的として製造されるものである。
【０００７】
現在、放射線で汚染された場所でいわゆる除染作業が行われようとしている。この除染作業で土地の表面から削られた土壌や雑草や枯葉などは低濃度の放射線を発する放射性汚染物質であり、その運搬や保管の際にこれら放射性汚染物質から発せられる放射線を遮蔽することが必要である。
【０００８】
特許文献１や特許文献２に記載された放射線遮蔽容器は、大型で重量が大きいため、これら放射線遮蔽容器を、土壌の除染作業箇所に運び込むのは容易ではない。一方において、土地の表面から削られた土壌や雑草や枯葉などを、何ら遮蔽対策を行うことなく運搬したり積み上げて放置しておくことは好ましくない。
【０００９】
本発明は上記従来の課題を解決するものであり、土壌などの比較的低濃度の放射線を発生する放射性汚染物質を、放射線遮蔽対策を施して比較的容易に運搬することができ、さらにこれら放射性汚染物質の一時的な保管にも適した放射線遮蔽バッグを提供することを目的としている。
【課題を解決するための手段】
【００１０】
本発明は、側壁部と底部とで囲まれた収納空間と上方に向く開口部とを有するバッグ本体と、前記バッグ本体に取り付けられて前記バッグ本体を吊り下げるベルトと、前記バッグ本体の前記開口部を開閉する蓋部材とを有し、前記蓋部材は、天井部と周壁部とを有し、前記周壁部が前記バッグ本体の前記側壁部の外側に設置されて前記天井部で前記開口部が塞がれるものであり、
前記バッグ本体の前記側壁部と前記底部ならびに前記蓋部材の前記天井部と前記周壁部が、多数本の鉛毛の集合体である遮蔽層と、前記遮蔽層の表裏両面を覆う可撓性シートとで構成され、
前記側壁部の外面に可撓性の止着シートが取り付けられており、前記蓋部材の前記周壁部の外面と前記止着シートとが、面ファスナーを介して接合可能であり、
前記止着シートは、前記側壁部の外面の周囲全長にわたって取り付けられており、前記止着シートに、周囲方向に間隔を空けて上縁部から切り込まれた複数の切り込み部と、前記切り込み部で挟まれた複数の止着片とが形成され、それぞれの止着片が、前記面ファスナーを介して前記周壁部の外面に接合可能であることを特徴とするものである。
【００１２】
本発明の放射線遮蔽バッグは、バッグ本体と蓋体とが鉛毛と可撓性シートとで構成されているため、従来の金属製の放射線遮蔽容器に比べて軽量に構成でき、大きさも必要に応じて自由に変えることができる。全体が軽量であるため、ベルトでバッグ本体を吊り下げた状態で、人の手や機械の力で容易に運搬することができる。
【００１３】
また、バッグ本体の開口部を塞ぐ蓋体が鉛毛を有しているため、バッグ本体の開口部からの放射線の漏洩を抑制しやすくなる。特に、蓋体が天井部と周壁部を有して、その双方が鉛毛を含んでおり、周壁部がバッグ本体の側壁部の外側に重なる構造であるため、開口部の周囲を側壁部と周壁部とで多重に遮蔽できることになり、開口部での放射線の遮蔽効果をきわめて高い水準に設定できる。
【００１４】
本発明は、前記遮蔽層は、多数本の鉛毛が合成樹脂材料によって接合されて所定の厚さに成形されており、前記側壁部と前記底部および前記蓋部材が変形可能である。
【００１５】
本発明の放射線遮蔽バッグは、バッグ本体と蓋部材の全体が変形可能であるため、取り扱いや運搬が容易であり、収納空間に汚染物質を詰め込む作業も容易である。
【００１８】
本発明の放射線遮蔽バッグは、バッグ本体の開口部の周囲を、側壁部と周壁部の２重遮蔽構造にできるが、バッグ本体に設けられた止着シートと蓋部材の周壁部の外面とを面ファスナーで固定することで、開口部を塞いでいる蓋体を、閉鎖状態で安定させることが可能である。
【発明の効果】
【００１９】
本発明の放射線遮蔽バッグは、従来の金属製の遮蔽容器に比べ軽量に構成でき、ベルトを使用して人の力でまたは機械の力で容易に運搬することができる。しかも、バッグ本体と蓋体のほぼ全域が鉛毛と可撓性シートとで構成されているため、全体に軟質で、取り扱いが容易である。
【図面の簡単な説明】
【００２０】
【図１】本発明の放射線遮蔽バッグの実施の形態を示す分解斜視図、
【図２】図１に示す放射線遮蔽バッグの正面図、
【図３】図２に示す放射線遮蔽バッグの底面図、
【図４】バッグ本体の上端部と蓋部材を示す部分正面図、
【図５】バッグ本体の底部と側壁部との接合部を示す部分断面図、
【図６】バッグ本体の上端部と蓋部材との嵌合状態を示す部分断面図、
【図７】本発明の放射線遮蔽バッグの第２の実施の形態を示す正面図、
【発明を実施するための形態】
【００２１】
図１に示す放射線遮蔽バッグ１は、バッグ本体１０と蓋部材２０およびバッグ本体を吊り下げるためにベルト２を有している。
【００２２】
バッグ本体１０は、図３の底面図に現れている底部１１と、底部１１の周囲から立ち上がる側壁部１２を有している。図１に示すように、バッグ本体１０は、底部１１と側壁部１２とで囲まれた収納空間１３を有し、側壁部１２の上縁部１２ａが囲まれた部分が、前記収納空間１３を上方に開放する開口部１４となっている。
【００２３】
バッグ本体１０は、底部１１が円形で、側壁部１２が円筒形である。よって、収納空間１３は円筒空間であり、開口部１４も円形である。
【００２４】
蓋部材２０は、天井部２１とその下に連続する周壁部２２を有している。天井部２１は円形であり、周壁部２２は短い円筒形状である。
【００２５】
図２と図６に示すように、バッグ本体１０の上端部に蓋部材２０が設置されると、蓋部材２０の周壁部２２が、バッグ本体１０の側壁部１２の上部１２ｂの外側に重なるように嵌合して、バッグ本体１０の開口部１４が蓋部材２０の天井部２１で塞がれる。
【００２６】
各図に示した実施の形態の放射線遮蔽バッグ１は、底部１１と天井部２１が円形で、側壁部１２と周壁部２２が円筒形状であるが、これらの形状は円形や円筒形に限られるものではなく、例えば、底部１１と天井部２１が四角形その他の多角形であり、側壁部１２と周壁部２２が四角筒または多角形の筒であってもよい。
【００２７】
図５では、バッグ本体１０を構成する底部１１の一部ならびに側壁部１２の下部の一部が断面図で示され、図６に、前記側壁部１２の上部の一部ならびに蓋部材２０を構成する天井部２１と周壁部２２の一部が断面図で示されている。
【００２８】
図５と図６に示すように、バッグ本体１０を構成する底部１１と側壁部１２および蓋部材２０を構成する天井部２１と周壁部２２は全て、遮蔽層と、遮蔽層の外面を覆う外面シートと、遮蔽層の内面を覆う内面シートの積層体で構成されている。
【００２９】
図５と図６に示すように、バッグ本体１０の底部１１の積層体は、遮蔽層３１ａならびに外面シート３２ａと内面シート３３ａで構成され、側壁部１２の積層体は、遮蔽層３１ｂならびに外面シート３２ｂと内面シート３３ｂで構成されている。蓋部材２０の天井部２１は、遮蔽層３１ｃならびに外面シート３２ｃと内面シート３３ｃで構成され、周壁部２２は遮蔽層３１ｄならびに外面シート３２ｄと内面シート３３ｄで構成されている。
【００３０】
遮蔽層３１ａ，３１ｂ，３１ｃ，３１ｄは、同じ材料構成でほぼ同じ厚さでほぼ同じ密度ならびにほぼ同じ比重となるように構成されている。遮蔽層は、例えば太さが０．２〜０．８ｍｍの鉛毛（鉛繊維）と、これとほぼ同じ太さのガラス繊維との混合体であり、鉛毛とガラス繊維がポリ塩化ビニル（ＰＶＣ）やその他の合成樹脂材のバインダーで接合されている。遮蔽層３１ａ，３１ｂ，３１ｃ，３１ｄの厚さ寸法は２〜１０ｍｍ程度であり、外力で比較的容易に変換可能である。
【００３１】
外面シート３２ａ，３２ｂ，３２ｃ，３２ｄと、内面シート３３ａ，３３ｂ，３３ｃ，３３ｄは同じ材料で形成されており、合成樹脂シート、ナイロン繊維などの合成樹脂繊維と合成樹脂シートとの複合材料、金属網や樹脂網などの補強材（割り布）が樹脂シートに積層された積層体などの可撓性のシートで構成されている。
【００３２】
図５に示すように、底部１１の周縁部に外面シート３２ａの縁部３２ａ１と内面シート３３ａの縁部３３ａ１が延び出ている。側壁部１２の下縁部１２ｃでは、外面シート３２ｂの縁部３２ｂ１と内面シート３３ｂの縁部３３ｂ１が下方へ延び出ている。底部１１の周囲に位置する縁部３２ａ１，３３ａ１および側壁部１２の下縁部１２ｃから延び出ている縁部３２ｂ１，３３ｂ１が、互いに縫合されまたは接着剤で接着されまたはヒートシールされ、またはこれら手段の組み合わせで強固に接合されている。これにより、バッグ本体１０の側部１１と側壁部１２とが隙間が生じないように結合されている。
【００３３】
図６に示すように、側壁部１２の上縁部１２ａでは、外面シート３２ｂと内面シート３３ｂとが連続しており、あるいはシームレスで接合されている。
【００３４】
蓋部材２０では、天井部２１の周縁部に外面シート３２ｃ縁部３２ｃ１と内面シート３３ｃの縁部３３ｃ１が延び出ている。蓋部材２０の周壁部２２の上端部２２ａに、外面シート３２ｄの縁部３２ｄ１と内面シート３３ｄの縁部３３ｄ１が延び出ている。天井部２１の周縁部において、縁部３２ｃ１と縁部３３ｃ１および縁部３２ｄ１と縁部３３ｄ１とが、互いに縫合されまたは接着剤で接着されまたはヒートシールされ、またはこれら手段の組み合わせで強固に接合されている。これにより、蓋部材２０の天井部２１と周壁部２２とが隙間が生じないように結合されている。
【００３５】
図６に示すように、蓋部材２０の周壁部２２の下端部２２ｂでは、外面シート３２ｄと内面シート３３ｄとが連続しており、あるいはシームレスで接合されている。
【００３６】
ベルト２は、ナイロン繊維などの合成樹脂繊維が編まれて構成されて、厚手で強度を有し且つ柔軟に変形できる。ベルト２は２帯設けられており、図３に示すように、バッグ本体１０の底部１１の外面で交差し、ビニールシートなどで形成された留めシート３ａによって４箇所で底部１１に固定されている。図１と図２に示すように、バッグ本体１０の外面においても、ベルト２がビニールシートなどで形成された留めシート３ｂによって側壁部１２に固定されている。そして、２帯のベルト２のループ部が、バッグ本体１０の開口部１４よりも上方に延びている。
【００３７】
図１と図２などに記載されているように、蓋部材２０の天井部２１の上面に、取っ手４が取り付けられている。取っ手４は前記ベルト２と同じ素材で形成されている。
【００３８】
図１と図２と図４に示すように、バッグ本体１０の側壁部１２の上部に、止着シート４０が取り付けられている。止着シート４０は、合成樹脂シート、ナイロン繊維などの合成樹脂繊維と合成樹脂シートとの複合材料、金属網や樹脂網などの補強材（割り布）が樹脂シートで挟まれた積層体などの可撓性のシートで構成されている。止着シート４０の下帯部４１は、側壁部１２の周囲全周に渡って延びており、下帯部４１が側壁部１２の外面に、縫合や接着またはヒートシールなどの固定手段で固定されている。止着シート４０の上帯部は側壁部１２に接合されておらず、周方向に沿って一定の間隔を空けて上縁部から下向きに切り込んだ複数の切り込み部４２が形成されており、切り込み部４２で挟まれた部分が複数の止着片４３となっている。
【００３９】
図４と図６に示すように、止着片４３の内面には面ファスナー４４を構成する一方の面シート４４ａが固定されており、蓋部材２０の周壁部２２の外面には面ファスナー４４を構成する他方の面シート４４ｂが固定されている。面シート４４ａ，４４ｂの一方はその表面に多数の合成樹脂製のループを有し、他方はその表面に多数の合成樹脂製のフックを有している。
【００４０】
次に、上記放射線遮蔽バッグ１の使用方法を説明する。
図１に示すように、蓋部材２０を取り外した状態で、バッグ本体１０の収納空間１３の内部に、除染作業で生じた土壌、草木、枯葉、土砂などを収納する。蓋部材２０を装着する前に、図１と図４に示すように、バッグ本体１０に設けられた複数の止着片４３を下向きに折り返しておく。図２と図６に示すように、蓋部材２０は、周壁部２２をバッグ本体１０の側壁部１２の上部１２ｂの外側に重ねるようにして設置し、天井部２１で開口部１４を塞ぐ。
【００４１】
蓋部材２０が設置された後に、図２と図６に示すように、複数の止着片４３で蓋部材２０の周壁部２２の外面を覆い、面ファスナー４４によってそれぞれの止着片４３を周壁部２２の外面に固定する。
【００４２】
放射線遮蔽バッグ１はバッグ本体１０と蓋部材２０の全体に、鉛毛を含む遮蔽層３１ａ，３１ｂ，３１ｃ，３１ｄが設けられ、収納領域が遮蔽層で覆われているため、収納空間１３に放射性物質で汚染された土壌などが収納されたときに、放射線が放射線遮蔽バッグ１の外部に漏洩しにくくなる。
【００４３】
また、バッグ本体１０に蓋部材２０が装着されると、図６に示すように、開口部１４が遮蔽層３１ｃを有する天井部２１で塞がれるとともに、開口部１４の周囲で、バッグ本体１０の側壁部１２と蓋部材２０の周壁部２２とが重ねられて、遮蔽層３１ｂと遮蔽層３１ｄの２重構造になる。そのため、開口部１４およびその周辺から外部への放射線の漏洩を確実に抑制できるようになる。
【００４４】
また、蓋部材２０の周壁部２２がバッグ本体１０の側壁部１２の全周の外側に重ねられて嵌合しているため、蓋部材２０が外れにくい。特に、周壁部２２の全周に止着片４３が止着されるため、蓋部材２０がさらに外れにくくなる。
【００４５】
バッグ本体１０と蓋部材２０は、全体が遮蔽層と外面シートおよび内面シートとで構成されて変形可能であるため、収納空間１３に種々の汚染物質を詰め込みやすくなる。またベルトを保持して人が運搬するときに、身体に当たる部分が軟質であるため、運搬作業の際に人体に与える疲労感も少ない。
【００４６】
前記実施の形態では、蓋部材２０が装着された後に、それぞれの止着片４３を上向きに変形させて、蓋部材２０の周壁部２２の外面に面ファスナー４４で装着するので、蓋部材２０を装着した後の蓋部材２０の固定作業がきわめて容易である。
【００４７】
ただし、本発明では、図７の第２の実施の形態に示すように、バッグ本体１０の側壁部１２の外面の複数箇所にベルト片５１を固定してその先部に雌型バックル５２を取付け、蓋部材２０の周壁部２２の外面の複数箇所にベルト片５３を固定してその先部に雄型バックル５４を固定してもよい。この構造では、バッグ本体１０に蓋部材２０を装着した後に、少なくとも２箇所で、雄型バックル５４と雌型バックル５２とを嵌合させることで、蓋部材２０の離脱を防止しやすくなる。
【００４８】
なお、蓋部材２０がバッグ本体１０に装着された後に、テープで周壁部２２と側壁部１２とを固定してもよい。あるいは、蓋部材２０の周壁部２２に組み込まれた紐を結んで、蓋部材２０をバッグ本体１０に固定してもよい。
【符号の説明】
【００４９】
１  放射線遮蔽バッグ
２  ベルト
１０  バッグ本体
１１  底部
１２  側壁部
１３  収納空間
１４  開口部
２０  蓋部材
２１  天井部
２２  周壁部
３１ａ，３１ｂ，３１ｃ，３１ｄ  遮蔽層
３２ａ，３２ｂ，３２ｃ，３２ｄ  外面シート
３３ａ，３３ｂ，３３ｃ，３３ｄ  内面シート
４０  止着シート
４２  切り込み部
４３  止着片
４４  面ファスナー
【図１】
0005882045.tif 000002
【図２】
0005882045.tif 000003
【図３】
0005882045.tif 000004
【図４】
0005882045.tif 000005
【図５】
0005882045.tif 000006
【図６】
0005882045.tif 000007
【図７】
0005882045.tif 000008